【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
印刷装置に印刷用画像データを供給する画像供給装置であって、
原画像のデータから印刷用画像データを生成する生成手段と、
接続された印刷装置に前記印刷用画像データを供給するための通信手段とを有し、
前記生成手段が、前記印刷用画像データを生成する際に、前記原画像を回転させる場合、前記原画像を回転させて回転画像を得ると共に、前記回転画像の画素のうち、前記回転によって前記原画像に対応する領域からはみ出す領域の画素又は無彩色画素を、前記回転画像の前記原画像に対応する領域中に生じる空白領域に含めた印刷用画像データを生成することを特徴とする画像供給装置。
【請求項２】
前記生成手段が、前記はみ出す領域の画像を幾何学変換して部分画像を生成し、生成した部分画像を、前記空白領域のうち対応する形状の領域に合成することにより前記印刷用画像データを生成することを特徴とする請求項１記載の画像供給装置。
【請求項３】
前記無彩色画素は、前記はみ出し領域全体の画素の明るさの平均値に等しい濃度を有することを特徴とする請求項１に記載の画像供給装置。
【請求項４】
印刷装置に印刷用画像データを供給する画像供給装置であって、
原画像のデータから印刷用画像データを生成する生成手段と、
接続された印刷装置に前記印刷用画像データを供給するための通信手段とを有し、
前記生成手段が、前記印刷用画像データを生成する際に、前記原画像を回転させる場合、前記原画像を回転させて回転画像を得ると共に、前記原画像のデータからヒストグラムを生成し、前記回転画像と前記ヒストグラムの情報とを含んだ前記印刷用画像データを生成することを特徴とする画像供給装置。
【請求項５】
印刷装置に印刷用画像データを供給する画像供給装置であって、
原画像のデータから印刷用画像データを生成する生成手段と、
接続された印刷装置に前記印刷用画像データを供給するための通信手段とを有し、
前記生成手段が、前記印刷用画像データを生成する際に、前記原画像を回転させる場合、前記原画像を回転させて回転画像を得ると共に、前記回転画像と前記回転画像を得るために前記原画像に適用した回転処理の内容を示す情報とを含んだ前記印刷用画像データを生成することを特徴とする画像供給装置。
【請求項６】
前記印刷装置で前記印刷用画像データを印刷する際の印刷設定において、前記印刷装置における自動画像補正の指定がなされていない場合には、前記生成手段が前記回転画像を前記印刷用画像データとして生成することを特徴とする請求項１乃至請求項５のいずれか１項に記載の画像供給装置。
【請求項７】
印刷装置に印刷用画像データを供給する画像供給装置であって、
原画像のデータから印刷用画像データを生成する生成手段と、
画像データの自動補正を行う補正手段と、
接続された印刷装置に前記印刷用画像データを供給するための通信手段とを有し、
前記生成手段が、前記印刷用画像データを生成する際に、前記原画像を回転させる場合、前記原画像を回転させて回転画像を得ると共に、前記印刷装置で前記印刷用画像データを印刷する際の印刷設定において前記印刷装置における自動画像補正の指定がなされている場合には、前記印刷設定における自動画像補正の指定を解除し、前記補正手段を用いて自動補正を適用した回転画像を前記印刷用画像データとして生成することを特徴とする画像供給装置。
【請求項８】
原画像を回転して得られた回転画像のデータと、前記原画像のヒストグラムとを画像供給装置から受信する受信手段と、
前記ヒストグラムに基づいて、前記回転画像のデータの補正を行なう補正手段と、
前記補正手段が補正した前記回転画像のデータを用いて印刷出力を行う出力手段とを有することを特徴とする印刷装置。
【請求項９】
原画像を回転して得られた回転画像のデータと、前記回転画像を得るために前記原画像に適用した回転処理の内容を示す情報とを画像供給装置から受信する受信手段と、
前記回転処理の内容を示す情報と、前記回転画像の縦横画素数とから、前記回転画像に含まれる空白領域を特定する特定手段と、
前記回転画像のうち、前記空白領域の画素の情報を用いずに前記回転画像のデータの補正を行なう補正手段と、
前記補正手段が補正した前記回転画像のデータを用いて印刷出力を行う出力手段とを有することを特徴とする印刷装置。
【請求項１０】
請求項４記載の画像供給装置と請求項８記載の印刷装置とが接続されてなることを特徴とする印刷システム。
【請求項１１】
請求項５記載の画像供給装置と請求項９記載の印刷装置とが接続されてなることを特徴とする印刷システム。
【請求項１２】
請求項１、請求項２又は請求項７のいずれか１項に記載の画像供給装置と、前記印刷用画像データの自動補正手段を有する印刷装置とが接続されてなることを特徴とする印刷システム。
【請求項１３】
印刷装置に印刷用画像データを供給する画像供給装置の制御方法であって、
生成手段が、原画像のデータから印刷用画像データを生成する生成ステップと、
通信手段が、接続された印刷装置に前記印刷用画像データを供給する通信ステップとを有し、
前記生成ステップにおいて、前記生成手段は、前記印刷用画像データを生成する際に、前記原画像を回転させる場合、前記原画像を回転させて回転画像を得ると共に、前記回転画像の画素のうち前記回転によって前記原画像に対応する領域からはみ出す領域の画素又は無彩色画素を、前記回転画像の前記原画像に対応する領域中に生じる空白領域に含めた印刷用画像データを生成することを特徴とする画像供給装置の制御方法。
【請求項１４】
印刷装置に印刷用画像データを供給する画像供給装置の制御方法であって、
生成手段が、原画像のデータから印刷用画像データを生成する生成ステップと、
通信手段が、接続された印刷装置に前記印刷用画像データを供給する通信ステップとを有し、
前記生成ステップにおいて、前記生成手段は、前記印刷用画像データを生成する際に、前記原画像を回転させる場合、前記原画像を回転させて回転画像を得ると共に、前記原画像のデータからヒストグラムを生成し、前記回転画像と前記ヒストグラムの情報とを含んだ前記印刷用画像データを生成することを特徴とする画像供給装置の制御方法。
【請求項１５】
印刷装置に印刷用画像データを供給する画像供給装置の制御方法であって、
生成手段が、原画像のデータから印刷用画像データを生成する生成ステップと、
通信手段が、接続された印刷装置に前記印刷用画像データを供給する通信ステップとを有し、
前記生成ステップにおいて、前記生成手段は、前記印刷用画像データを生成する際に、前記原画像を回転させる場合、前記原画像を回転させて回転画像を得ると共に、前記回転画像と前記回転画像を得るために前記原画像に適用した回転処理の内容を示す情報とを用いて前記印刷用画像データを生成することを特徴とする画像供給装置の制御方法。
【請求項１６】
受信手段が、原画像を回転して得られた回転画像のデータと、前記原画像のヒストグラムとを画像供給装置から受信する受信ステップと、
補正手段が、前記ヒストグラムに基づいて、前記回転画像のデータの補正を行なう補正ステップと、
出力手段が、前記補正ステップで補正した前記回転画像のデータを用いて印刷出力を行う出力ステップとを有することを特徴とする印刷装置の制御方法。
【請求項１７】
受信手段が、原画像を回転して得られた回転画像のデータと、前記回転画像を得るために前記原画像に適用した回転処理の内容を示す情報とを画像供給装置から受信する受信ステップと、
特定手段が、前記回転処理の内容を示す情報と、前記回転画像の縦横画素数とから、前記回転画像に含まれる空白領域を特定する特定ステップと、
補正手段が、前記回転画像のうち、前記空白領域の画素の情報を用いずに前記回転画像のデータの補正を行なう補正ステップと、
出力手段が、前記補正ステップで補正した前記回転画像のデータを用いて印刷出力を行う出力ステップとを有することを特徴とする印刷装置の制御方法。
【手続補正２】
【補正対象書類名】明細書
【補正対象項目名】００１１
【補正方法】変更
【補正の内容】
【００１１】
すなわち、上述の目的は、印刷装置に印刷用画像データを供給する画像供給装置であって、原画像のデータから印刷用画像データを生成する生成手段と、接続された印刷装置に印刷用画像データを供給するための通信手段とを有し、生成手段が、印刷用画像データを生成する際に、原画像を回転させる場合、原画像を回転させて回転画像を得ると共に、回転画像の画素のうち、回転によって原画像に対応する領域からはみ出す領域の画素又は無彩色画素を、回転画像の原画像に対応する領域中に生じる空白領域に含めた印刷用画像データを生成することを特徴とする画像供給装置によって達成される。
【手続補正３】
【補正対象書類名】明細書
【補正対象項目名】００１２
【補正方法】変更
【補正の内容】
【００１２】
また、上述の目的は、印刷装置に印刷用画像データを供給する画像供給装置であって、原画像のデータから印刷用画像データを生成する生成手段と、接続された印刷装置に印刷用画像データを供給するための通信手段とを有し、生成手段が、印刷用画像データを生成する際に、原画像を回転させる場合、原画像を回転させて回転画像を得ると共に、原画像のデータからヒストグラムを生成し、回転画像とヒストグラムの情報とを含んだ印刷用画像データを生成することを特徴とする画像供給装置によっても達成される。
【手続補正４】
【補正対象書類名】明細書
【補正対象項目名】００１３
【補正方法】変更
【補正の内容】
【００１３】
また、上述の目的は、印刷装置に印刷用画像データを供給する画像供給装置であって、原画像のデータから印刷用画像データを生成する生成手段と、接続された印刷装置に印刷用画像データを供給するための通信手段とを有し、生成手段が、印刷用画像データを生成する際に、原画像を回転させる場合、原画像を回転させて回転画像を得ると共に、回転画像と回転画像を得るために原画像に適用した回転処理の内容を示す情報とを含んだ印刷用画像データを生成することを特徴とする画像供給装置によっても達成される。
【手続補正５】
【補正対象書類名】明細書
【補正対象項目名】００１４
【補正方法】変更
【補正の内容】
【００１４】
また、上述の目的は、印刷装置に印刷用画像データを供給する画像供給装置であって、原画像のデータから印刷用画像データを生成する生成手段と、画像データの自動補正を行う補正手段と、接続された印刷装置に印刷用画像データを供給するための通信手段とを有し、生成手段が、印刷用画像データを生成する際に、原画像を回転させる場合、原画像を回転させて回転画像を得ると共に、印刷装置で印刷用画像データを印刷する際の印刷設定において印刷装置における自動画像補正の指定がなされている場合には、印刷設定における自動画像補正の指定を解除し、補正手段を用いて自動補正を適用した回転画像を印刷用画像データとして生成することを特徴とする画像供給装置によっても達成される。
【手続補正６】
【補正対象書類名】明細書
【補正対象項目名】００１６
【補正方法】変更
【補正の内容】
【００１６】
また、上述の目的は、原画像を回転して得られた回転画像のデータと、回転画像を得るために原画像に適用した回転処理の内容を示す情報とを画像供給装置から受信する受信手段と、回転処理の内容を示す情報と、回転画像の縦横画素数とから、回転画像に含まれる空白領域を特定する特定手段と、回転画像のうち、空白領域の画素の情報を用いずに回転画像のデータの補正を行なう補正手段と、補正手段が補正した回転画像のデータを用いて印刷出力を行う出力手段とを有することを特徴とする印刷装置によっても達成される。
【手続補正７】
【補正対象書類名】明細書
【補正対象項目名】００１８
【補正方法】変更
【補正の内容】
【００１８】
また、上述の目的は、印刷装置に印刷用画像データを供給する画像供給装置の制御方法であって、生成手段が、原画像のデータから印刷用画像データを生成する生成ステップと、通信手段が、接続された印刷装置に前記印刷用画像データを供給する通信ステップとを有し、生成ステップにおいて、生成手段は、印刷用画像データを生成する際に、原画像を回転させる場合、原画像を回転させて回転画像を得ると共に、回転画像の画素のうち回転によって原画像に対応する領域からはみ出す領域の画素又は無彩色画素を、回転画像の原画像に対応する領域中に生じる空白領域に含めた印刷用画像データを生成することを特徴とする画像供給装置の制御方法によっても達成される。
【手続補正８】
【補正対象書類名】明細書
【補正対象項目名】００１９
【補正方法】変更
【補正の内容】
【００１９】
また、上述の目的は、印刷装置に印刷用画像データを供給する画像供給装置の制御方法であって、生成手段が、原画像のデータから印刷用画像データを生成する生成ステップと、通信手段が、接続された印刷装置に前記印刷用画像データを供給する通信ステップとを有し、生成ステップにおいて、生成手段は、印刷用画像データを生成する際に、原画像を回転させる場合、原画像を回転させて回転画像を得ると共に、原画像のデータからヒストグラムを生成し、回転画像とヒストグラムの情報とを含んだ印刷用画像データを生成することを特徴とする画像供給装置の制御方法によっても達成される。
【手続補正９】
【補正対象書類名】明細書
【補正対象項目名】００２０
【補正方法】変更
【補正の内容】
【００２０】
また、上述の目的は、印刷装置に印刷用画像データを供給する画像供給装置の制御方法であって、生成手段が、原画像のデータから印刷用画像データを生成する生成ステップと、通信手段が、接続された印刷装置に前記印刷用画像データを供給する通信ステップとを有し、生成ステップにおいて、生成手段は、印刷用画像データを生成する際に、原画像を回転させる場合、原画像を回転させて回転画像を得ると共に、回転画像と回転画像を得るために原画像に適用した回転処理の内容を示す情報とを用いて印刷用画像データを生成することを特徴とする画像供給装置の制御方法によっても達成される。
【手続補正１０】
【補正対象書類名】明細書
【補正対象項目名】００２１
【補正方法】変更
【補正の内容】
【００２１】
また、上述の目的は、受信手段が、原画像を回転して得られた回転画像のデータと、原画像のヒストグラムとを画像供給装置から受信する受信ステップと、補正手段が、ヒストグラムに基づいて、回転画像のデータの補正を行なう補正ステップと、出力手段が、補正ステップで補正した回転画像のデータを用いて印刷出力を行う出力ステップとを有することを特徴とする印刷装置の制御方法によっても達成される。
【手続補正１１】
【補正対象書類名】明細書
【補正対象項目名】００２２
【補正方法】変更
【補正の内容】
【００２２】
また、上述の目的は、受信手段が、原画像を回転して得られた回転画像のデータと、回転画像を得るために原画像に適用した回転処理の内容を示す情報とを画像供給装置から受信する受信ステップと、特定手段が、回転処理の内容を示す情報と、回転画像の縦横画素数とから、回転画像に含まれる空白領域を特定する特定ステップと、補正手段が、回転画像のうち、空白領域の画素の情報を用いずに回転画像のデータの補正を行なう補正ステップと、出力手段が、補正ステップで補正した回転画像のデータを用いて印刷出力を行う出力ステップとを有することを特徴とする印刷装置の制御方法によっても達成される。